(57)【要約】【課題】ＵＲＬを簡単に外部機器に与えることが可能なＵＲＬ転送装置を提供すること。【解決手段】外部機器（ポータブルデバイス１）は、ＵＲＬ記憶装置（例えばフラッシュメモリ）を有し、該ＵＲＬ記憶装置に記憶されたＵＲＬに従ってインターネット接続する機能を有する。このポータブルデバイス１は、接続手段を介してＰＣ２に接続される。マウス６６によってＵＲＬ１０２が指定され、当該マウス６６によって指定されたＵＲＬ１０２は、接続手段を介してＰＣ２からポータブルデバイス１へ転送される。【選択図】      図３
2009223530.tif 000002
【特許請求の範囲】
【請求項１】
ＵＲＬ記憶装置を有し該記憶装置に記憶されたＵＲＬに従ってインターネット接続する機能を有する外部機器が接続される接続手段と、
ＵＲＬを指定するためのＵＲＬ指定手段と、
前記ＵＲＬ指定手段によって指定されたＵＲＬを、前記接続手段を介して前記外部機器へ転送する転送手段と、
を備えるＵＲＬ転送装置。
【請求項２】
転送ウィンドウを表示するウィンドウ表示手段を更に備え、
前記転送手段は、前記指定されたＵＲＬがドラッグされ、前記ウィンドウにドロップされると、前記ドロップされたＵＲＬを前記外部機器に転送する、請求項１に記載のＵＲＬ転送装置。
【請求項３】
前記指定されたＵＲＬの種類を判断する判断手段を更に備え、
前記転送手段は、前記指定されたＵＲＬ及び前記判断手段によって判断された当該ＵＲＬの種類を転送する、
請求項１に記載のＵＲＬ転送装置。
【請求項４】
前記ＵＲＬの種類は、番組のＵＲＬ、番組サイトのＵＲＬ及びＲＳＳフィードのＵＲＬを含む、請求項３に記載のＵＲＬ転送装置。
【請求項５】
前記ＵＲＬ記憶装置は、複数の記憶領域を備え、
前記転送手段によって転送されたＵＲＬを、前記ＵＲＬの種類に応じた記憶領域に記憶する、請求項３に記載の外部機器。
【請求項６】
前記指定されたＵＲＬの種類を判断する判断手段を更に備え、
前記ウィンドウ表示手段は、複数のウィンドウを表示し、
前記判断手段は、前記指定されたＵＲＬがドロップされたウィンドウに応じて、前記ＵＲＬの種類を判断し、
前記転送手段は、前記ＵＲＬ及び前記判断手段によって判断された当該ＵＲＬの種類を転送する、
請求項２に記載のＵＲＬ転送装置。
【請求項７】
前記ＵＲＬ記憶装置は、複数の記憶領域を備え、
前記転送手段によって転送されたＵＲＬを、前記ＵＲＬの種類に応じた記憶領域に記憶する、請求項６に記載の外部機器。
【請求項８】
前記ウィンドウ表示手段は、前記複数のウィンドウ上に、対応するＵＲＬの種類に応じた文字情報を表示する、請求項６に記載のＵＲＬ転送装置。
【請求項９】
前記ウィンドウ表示手段は、前記複数のウィンドウに対して、対応するＵＲＬの種類を示すポップアップウィンドウを表示する、請求項６に記載のＵＲＬ転送装置。
【請求項１０】
前記ＵＲＬ指定手段は、マウスを含み、
前記ウィンドウ表示手段は、前記マウスのマウスポインタが示すウィンドウに対して、対応するＵＲＬの種類を示すポップアップウィンドウを表示する、請求項６に記載のＵＲＬ転送装置。
【請求項１１】
前記外部機器と、前記接続手段との接続状態を検出する接続検出手段を更に備え、
前記ウィンドウ表示手段は、前記接続検出手段によって検出された接続状態を、前記ウィンドウの表示によってユーザに提示する、
請求項２に記載のＵＲＬ転送装置。
【請求項１２】
ＵＲＬを指定し、
前記指定されたＵＲＬを、ＵＲＬ記憶装置を有し該記憶装置に記憶されたＵＲＬに従ってインターネット接続する機能を有する外部機器に転送する、
ＵＲＬ転送方法。
【請求項１３】
転送ウィンドウを表示し、
前記指定されたＵＲＬがドラッグされ、前記ウィンドウにドロップされると、前記ドロップされたＵＲＬを前記外部機器に転送する、請求項１２に記載のＵＲＬ転送方法。
【請求項１４】
前記指定されたＵＲＬの種類を判断し、
前記指定されたＵＲＬ及び前記判断された当該ＵＲＬの種類を、前記外部機器に転送する、
請求項１２に記載のＵＲＬ転送方法。
【請求項１５】
前記外部機器が有する前記ＵＲＬ記憶装置は、複数の記憶領域を備え、
前記転送されたＵＲＬは、前記ＵＲＬの種類に応じた記憶領域に記憶される、請求項１４に記載のＵＲＬ転送方法。
【請求項１６】
複数のウィンドウを表示し、
前記指定されたＵＲＬがドロップされたウィンドウに応じて、前記ＵＲＬの種類を判断し、
前記ＵＲＬ及び前記判断された当該ＵＲＬの種類を、前記外部機器に転送する、
請求項１２に記載のＵＲＬ転送方法。
【発明の詳細な説明】
【技術分野】
【０００１】
本発明は、ＵＲＬ転送装置及びＵＲＬ転送方法に関する。
【背景技術】
【０００２】
ネットワークを介して音楽、映像、データ等のコンテンツを配信することは、広く行われている。ネットワークに接続可能なパーソナルコンピュータ（ＰＣ）や携帯型プレーヤ等の端末装置は、例えばポッドキャスティングシステム等を利用して、ネットワーク上に公開されたコンテンツ（番組）を取得し再生することができる。コンテンツは、当該コンテンツを公開するポータルサイト（番組サイト）からダウンロードして利用する。
【０００３】
ネットワーク上に公開されたコンテンツを、端末装置にダウンロードするには、当該コンテンツのネットワーク上でのアドレス（ＵＲＬ:Uniform Resource Locators）、又は当該コンテンツを配信するサイトのＵＲＬを入力する必要がある。しかしながら、携帯型コンテンツ再生装置等の小型のポータブルデバイスでは、長くて複雑なアドレスの入力は難しい。このため、例えば特許文献１には、省スペース化及び入力効率化を図ることができる文字入力装置が記載されている。この文字入力装置は、第１ないし第５のキー入力検知部が入力側に備えられ、さらにそれらの入力検知によって５０音の各行の選択に対応付けを行う第１乃至第９の制御部が備えられている。従って、５つのキーによって文字入力を行うことができる。
【特許文献１】特開２００７−１３３７２１号公報（段落０００９、図１）
【発明の開示】
【発明が解決しようとする課題】
【０００４】
しかしながら、コンテンツやサイトのネットワーク上でのアドレスは、長くて複雑なものが多い。このため、上記文字入力装置のような小数のキーでアドレスを入力するには、誤入力の可能性が高く、また入力に時間もかかる。
【０００５】
本発明は、前記のような問題に鑑みなされたもので、ＵＲＬを簡単に外部機器に与えることが可能なＵＲＬ転送装置、及びＵＲＬ転送方法を提供することを目的とする。
【課題を解決するための手段】
【０００６】
本発明の一実施形態に係るＵＲＬ転送装置は、ＵＲＬ記憶装置を有し該記憶装置に記憶されたＵＲＬに従ってインターネット接続する機能を有する外部機器が接続される接続手段と、ＵＲＬを指定するためのＵＲＬ指定手段と、前記ＵＲＬ指定手段によって指定されたＵＲＬを、前記接続手段を介して前記外部機器へ転送する転送手段とを備える。
【発明の効果】
【０００７】
本発明に係るＵＲＬ転送装置は、ＵＲＬ記憶装置を有する外部機器が接続されるための接続手段を備える。ＵＲＬ指定手段によって指定されたＵＲＬは、転送手段により、接続手段を介して接続された外部機器に転送される。
【０００８】
従って、ＵＲＬ転送装置のＵＲＬ指定手段によって指定されたＵＲＬを、外部機器に転送することが可能になる。
【発明を実施するための最良の形態】
【０００９】
以下、図面を参照して本発明によるＵＲＬ転送システムの実施形態を説明する。
【００１０】
図１は、本発明の一実施形態に係るＵＲＬ転送システムを利用する携帯型コンテンツ再生装置（ポータブルデバイス）１の電気的構成を示すブロック図である。
【００１１】
ポータブルデバイス１は、主制御部であるＣＰＵ１１を有する。ＣＰＵ１１は、ポータブルデバイス１の各部の動作を制御する。ポータブルデバイス１の各部は、制御バス２５を介してＣＰＵ１１に接続されている。
【００１２】
ユーザは、操作部３を操作して操作指示や選択指示を入力することができる。ユーザによる操作部３の操作に応じた制御信号は、Ｉ／Ｏ（入出力）ポート１３からＣＰＵ１１に送られる。液晶ディスプレイ（ＬＣＤ）５は、動画や静止画、文字情報等の映像データを表示する。ＬＣＤ駆動回路１５は、ＣＰＵ１１の制御に基づいてＬＣＤ５を駆動する。
【００１３】
ＣＰＵ１１には、ＲＯＭ２１およびＲＡＭ２３が、制御バス２５を介して接続されている。ＲＯＭ２１は、ＣＰＵ１１がポータブルデバイス１の動作を制御するために実行するプログラムデータを予め記憶する。また、ＲＡＭ２３はＣＰＵ１１により、ワークメモリとして利用される。ＲＡＭ２３は、制御信号に対応する制御情報や、フラッシュメモリ７から読み出された一定量のデータを一時的に保持する。
【００１４】
バッテリ（二次電池）９は、ポータブルデバイス１を携帯して用いる際の電源である。電源制御ＩＣ１９は、バッテリ９により提供される電力、すなわち所定の電圧および許容される電流を管理する。バッテリ９には充電部（ｃｈａｒｇｅｒ）３３が接続される。充電部３３はポータブルデバイス１に内蔵されていてもよいし、ポータブルデバイス１とは別体でバッテリ９をポータブルデバイス１から取り外して充電するようにしてもよい。
【００１５】
フラッシュメモリ７は、画像データや音声データ等のコンテンツデータを記憶する記憶装置である。フラッシュメモリ７に換えて、ハードディスク装置（ＨＤＤ）やＳＳＤ（Ｓｏｌｉｄ  Ｓｔａｔｅ  Ｄｉｓｋ）等がポータブルデバイス１に内蔵されていてもよい。また、フラッシュメモリ７は、ポータブルデバイス１から取り外すことが可能であってもよい。本実施形態においては、フラッシュメモリ７には、パーソナルコンピュータ（ＰＣ）２（図２及び図３参照）から転送されてきたＵＲＬが記憶される所定の記憶領域も確保されている。
【００１６】
カードスロット８には、ＳＤカード１０を挿入することができる。ＣＰＵ１１は、スロット８を介してこのＳＤカード１０にも、画像データや音声データ等のコンテンツデータを記憶することができる。また、ＣＰＵ１１は、ＳＤカード１０に記憶されているコンテンツデータを読み出して再生することも可能である。ＳＤカード１０に換えて、メモリスティック、ＦＬＡＳＨ  ＲＯＭ等の記憶装置がポータブルデバイス１に外付けされてもよい。
【００１７】
フラッシュメモリ７及びＳＤカード１０は、圧縮された音声データや画像データ、ビデオデータ等のコンテンツデータを記録する。音声データの圧縮には、ＭＰ３、ＷＭＡ等の方式が、画像データの圧縮には、ＪＰＥＧ、ＧＩＦあるいはＢＭＰ等の方式が、ビデオデータの圧縮には、例えばＷＭＶ、ＭＰＥＧ−１、ＭＥＰＧ−２、ＭＰＥＧ−４等の方式が用いられる。また、フラッシュメモリ７やＳＤカード１０に記憶されるコンテンツデータは、コンテンツ保護のため所定の方式で暗号化されていてもよい。
【００１８】
ＣＰＵ１１は、ＲＯＭ２１に予め記憶されている所定の再生プログラムを実行して、フラッシュメモリ７やＳＤカード１０に格納された音声データファイルや画像データファイル等のデータファイルを再生する。データファイルの再生プログラムは、フラッシュメモリ７に予め記憶されていてもよい。
【００１９】
出力部１７は、ＣＰＵ１１の制御に従って、画像データや音声データをアナログ出力に変換する。また、出力端子４５は、通常のアナログ出力に利用される。出力部１７に設けられたオーディオデコーダ４７は、音声データをアナログ信号に復調し、出力端子４５に転送する。また、出力部１７に設けられたビデオデコーダ４９は、ビデオ信号のアナログ変換を行い、変換したビデオ信号を出力端子４５に出力する。
【００２０】
ＣＰＵ１１にはまた、ＵＳＢ（Ｕｎｉｖｅｒｓａｌ  Ｓｅｒｉａｌ  Ｂｕｓ）ポート４１、無線ネットワーク（Ｗｉｒｅｌｅｓｓ  Ｎｅｔｗｏｒｋ）ユニット（通信部）４３が接続されている。
【００２１】
ポータブルデバイス１は、ＵＳＢポート４１を介して外部装置に接続され、外部装置との間でデータの受け渡しを行う。例えばパーソナルコンピュータ（ＰＣ）等の外部装置からは、ＵＳＢポート４１を介して、映像データや音声データ等の各種のコンテンツデータがポータブルデバイス１に供給される。フラッシュメモリ７に記憶された各種のコンテンツデータが、ＵＳＢポート４１を介して外部装置に供給されてもよい。本実施形態においては、ＰＣ２からから転送されてきたＵＲＬは、例えばＵＳＢポート４１を介してポータブルデバイス１に供給される。
【００２２】
ポータブルデバイス１と外部装置との間のデータの受け渡しは、無線ネットワークユニット４３を利用して行われてもよい。無線ネットワークユニット４３は、無線ＬＡＮ（Ｌｏｃａｌ  Ａｒｅａ  Ｎｅｔｗｏｒｋ）等の無線通信ネットワークに接続するために利用される。ポータブルデバイス１には、無線ネットワークユニット４３を介して、外部装置からコンテンツデータやＵＲＬ情報を含む各種のデータが供給される。また、フラッシュメモリ７に記憶されたデータは、無線ネットワークユニット４３を介して外部装置に供給され得る。ポータブルデバイス１は、サーバコンピュータやパーソナルコンピュータ等の外部装置との間で、無線ネットワークユニット４３を介して、ワイヤレスに通信することができる。
【００２３】
また、ポータブルデバイス１は、無線ネットワークユニット４３を介して、インターネット等のネットワークに接続することもできる。そしてネットワーク上にコンテンツ（番組）を公開するサイト（番組サイト）から、音楽、映像、データコンテンツ等の様々なコンテンツ（番組）をダウンロードして、フラッシュメモリ７やＳＤカード１０に格納することができる。
【００２４】
図２は、本発明の一実施形態に係るＵＲＬ転送システムに用いられるパーソナルコンピュータ（ＰＣ）２の電気的構成を示すブロック図である。
【００２５】
ＰＣ２は、主制御部であるＣＰＵ５１を有する。ＣＰＵ５１は、ＰＣ２各部の動作を制御する。ＰＣ２の各部は、バス８０を介してＣＰＵ５１に接続されている。
【００２６】
表示装置６２は、グラフィックインタフェース（グラフィックＩ／Ｆ）６１を介してＣＰＵ５１に接続される。表示装置６２は、例えば液晶ディスプレイ（ＬＣＤ）を有し、動画や静止画、文字情報等の画像データを表示する。キー入力部６４は、文字、数字、記号を入力するためのキーや、各種の機能キーを有し、キーインタフェース（キーＩ／Ｆ）６３を介してＣＰＵ５１に接続される。ユーザによるキー入力部６４の操作に応じた操作信号は、キーインタフェース６３を介してＣＰＵ１１に入力する。また、ＣＰＵ５１には、マウスインタフェース（マウスＩ／Ｆ）６５を介してマウス６６も接続される。ユーザによるマウス６６の操作に応じた操作信号は、マウスインタフェース６５を介してＣＰＵ１１に入力する。
【００２７】
なお、表示装置６２、キー入力部６４及びマウス６６は、ＰＣ２の本体に外付けされていてもよく、ＰＣ２の本体から取り外し可能であってもよい。
【００２８】
ＣＰＵ５１には、ＲＯＭ５２およびＲＡＭ５３が、バス８０を介して接続されている。ＲＯＭ５２は、ＣＰＵ５１がＰＣ２の各部の動作を制御するために実行するプログラムデータを予め記憶する。また、ＣＰＵ５１は、ＲＡＭ５３をワークメモリとして使用する。
【００２９】
電源制御部５５は、ＰＣ２の各部を駆動するための電力を制御する。ＰＣ２を携帯して用いる場合には、電源制御部５５に図示しないバッテリが接続されて、電力が供給されてもよい。
【００３０】
記憶装置５４は、例えばハードディスク装置（ＨＤＤ）や、フラッシュメモリ等を含む記憶装置である。記憶装置５４には、画像データや音声データ等のコンテンツデータや、その他のデータが記憶可能である。記憶装置５４は、ポータブルデバイス１から取り外すことが可能であってもよい。記憶装置５４は、ハードディスク装置やフラッシュメモリに限らず、図示しないカードスロットを介して接続されるＳＤカードや、メモリスティック、ＦＬＡＳＨ  ＲＯＭ等の記憶装置であってもよい。
【００３１】
ＣＰＵ５１にはまた、ＬＡＮ通信部７１、無線ＬＡＮ通信部７２及びＵＳＢインタフェース７３が接続されている。ＬＡＮ通信部７１は有線でのＬＡＮ接続に、無線ＬＡＮ通信部７２は、無線ＬＡＮ接続に用いられる。また、ＵＳＢインタフェース７３は、ＵＳＢ接続によって外部装置に接続する際に用いられる。ＰＣ２は、ＬＡＮ通信部７１、無線ＬＡＮ通信部７２あるいはＵＳＢインタフェース７３を介して外部装置に接続され、外部装置との間でデータの受け渡しを行う。例えば上述のポータブルデバイス１等の携帯型コンテンツ再生装置に、音楽データや映像データを含むコンテンツデータや、各種のデータを転送することができる。本実施形態では、ＰＣ２からポータブルデバイス１に、ＵＲＬ情報が転送される。また、ＰＣ２は、ＬＡＮ通信部７１あるいは無線ＬＡＮ通信部７２を介してインターネット等のネットワークに接続することができる。そしてネットワーク上にコンテンツを公開しているサイトから、音楽、映像、データコンテンツ等の様々なコンテンツをダウンロードして、記憶装置５４に格納することができる。
【００３２】
通常、ネットワーク上に公開されているコンテンツ（番組）を、ポータブルデバイス１にダウンロードして利用するには、ポータブルデバイス１の操作部３を操作して、当該番組のネットワーク上でのアドレス（ＵＲＬ）、又は番組を配信する番組サイトのアドレス（ＵＲＬ）を直接入力する必要がある。ポータブルデバイス１では、無線ネットワークユニット４３を介して入力されたアドレスに接続し、番組を直接ダウンロードするか、あるいは接続した番組サイトから番組をダウンロードする。しかしながら、キーボードを持たない携帯型のポータブルデバイス１では、番組サイトやコンテンツのＵＲＬを正確に入力するのは困難である。
【００３３】
また、ＰＣ２からコンテンツや番組サイトに、ＬＡＮ通信部７１あるいは無線ＬＡＮ通信部７２によって、ネットワークを介して接続することも考えられる。そして、番組サイトから番組をＰＣ２に一旦ダウンロードして保存した後、当該番組をポータブルデバイス１に転送し、利用する。
【００３４】
一般に、ユーザがポータブルデバイス１によって頻繁に接続する番組サイトは、ＰＣ２によっても頻繁に接続して利用するサイトであると考えられる。本実施形態によるＵＲＬ転送システムでは、ＰＣ２の表示画面上でコンテンツ（番組）や番組サイトのアドレスをドラッグアンドドロップするだけで、ポータブルデバイス１に当該アドレスを転送することを可能とする。ポータブルデバイス１からは、転送されたアドレスによって接続が可能になるため、ユーザがアドレスを入力する手間を省くことができる。
【００３５】
図３は、本発明の一実施形態に係る、ポータブルデバイス１がＰＣ２に接続された状態を示す図である。ポータブルデバイス１とＰＣ２は、例えば、ＵＳＢポート４１とＵＳＢインタフェース７３を介してＵＳＢ接続されている。
【００３６】
ＰＣ２の表示装置６２の表示画面上には、コンテンツ（番組）あるいは番組サイトのアドレス（ＵＲＬ）１０２を含む、例えばウェブブラウザ等のウィンドウ１００が表示されている。ここで、このＵＲＬ１０２は、ポッドキャスティングシステムによって配信される音楽、映像等の番組のＵＲＬや、番組サイトのＵＲＬである。ＵＲＬ１０２は、ＲＳＳフィードのＵＲＬであってもよい。また、ＵＲＬ１０２は、ＵＲＬそのままの形式ではなく、例えばアイコン等によって示されていてもよい。以下では、ＵＲＬを示すアイコンのこともＵＲＬと称する。また、図３ではウェブブラウザのウィンドウ１００が一例として図示されているが、ウェブブラウザに限らず、ＵＲＬや、ＵＲＬを示すアイコン等を表示する表示領域であればよい。
【００３７】
ＰＣ２の表示装置６２の表示画面上には、ＵＲＬ転送ウィンドウ１０４も表示されている。図３に示すように、本実施形態では、ユーザがマウス６６の操作によりＵＲＬ１０２を指定（マウスボタンの押下）し、当該ＵＲＬ１０２をＵＲＬ転送ウィンドウ１０４までドラッグ（ＵＲＬ１０２を指定したままでマウスを移動）し、ＵＲＬ転送ウィンドウ１０４上でドロップ（マウスボタンを離す）すると、当該ＵＲＬがポータブルデバイス１に転送される。ポータブルデバイス１では、所定の記憶領域（例えばフラッシュメモリ７内の記憶領域）に、転送されてきたＵＲＬを記憶する。この後、ポータブルデバイス１では、記憶したＵＲＬを読み出し、無線ネットワークユニット４３を介してこのＵＲＬが示す番組や番組サイト等に接続したり、ＲＳＳフィードを取得したりすることが可能となる。
【００３８】
図４は、ＰＣ２において実行される、本実施形態によるＵＲＬ転送処理のフローチャートである。このＵＲＬ転送処理は、ユーザの指示に応じて起動するようにしてもよいが、ＰＣ２の起動直後に開始し、バックグラウンドで常に動作するようにしてもよい。
【００３９】
ＵＲＬ転送処理が起動すると、ＰＣ２のＣＰＵ５１は、ポータブルデバイス１がＰＣ２に接続されているか否かを判断する（ブロックＡ１）。ここで、ＣＰＵ５１は、ポータブルデバイス１を識別するための識別情報の検出を行って、ポータブルデバイス１の接続状態を判断する。識別情報としては、例えばＵＳＢＰＩＤ（ＵＳＢプロダクトＩＤ）、あるいはＭＴＰプロトコルに従ってやり取りされるデータに含まれる識別情報が用いられる。ＣＰＵ５１が識別情報を検出すると、ポータブルデバイス１が接続していると判断される。ここで、ＵＲＬ転送が可能なポータブルデバイス１の識別情報を予め記憶装置５４（又はＲＯＭ５２）に記憶しておくようにしてもよい。何らかのポータブルデバイスがＰＣ２に接続されたら、当該ポータブルデバイスの識別情報を検出し、予め記憶された識別情報と照合を行うようにしてもよい。
【００４０】
対応するポータブルデバイス１が接続されていない場合は（ブロックＡ１でＮｏ）、表示装置６２の表示画面上にＵＲＬ転送ウィンドウ１０４を表示する（ブロックＡ２）。この場合、ＵＲＬ転送が不能であり、当該ウィンドウ１０４が非アクティブであることが、ユーザに認識できるように表示を行う。例えば本実施形態では、ウィンドウの表示色を灰色にして、ポータブルデバイス１が接続されていないことをユーザに示す。また色だけではなくメッセージボックスを使用して「ポータブルデバイスが接続されていません。接続してください」などと文章で誘導してもよい。
【００４１】
対応するポータブルデバイス１が接続されている場合も（ブロックＡ１でＹｅｓ）、表示装置６２の表示画面上にＵＲＬ転送ウィンドウ１０４を表示する（ブロックＡ３）。この場合、ＵＲＬ転送が可能であり、当該ウィンドウ１０４がアクティブであることが、ユーザに認識可能となるように表示する。例えば本実施形態では、ウィンドウの表示色を灰色ではなく有彩色にして、ＵＲＬ転送が可能であることをユーザに示す。
【００４２】
その後ＰＣ２のＣＰＵ５１は、ユーザがポータブルデバイス１に転送したいＵＲＬをウィンドウ１００からドラッグし、ＵＲＬ転送ウィンドウ１０４にドロップするのを待機する（ブロックＡ４）。
【００４３】
ＵＲＬのドラッグアンドドロップが行われると（ブロックＡ４でＹｅｓ）、ＰＣ２のＵＳＢインタフェース７３から、ポータブルデバイス１に当該ＵＲＬが転送される（ブロックＡ５）。
【００４４】
図５は、ポータブルデバイス１において実行される、本実施形態によるＵＲＬ記憶処理のフローチャートである。ＰＣ２からＵＲＬが転送されてくると（ブロックＢ１でＹｅｓ）、ポータブルデバイス１のＣＰＵ１１は、フラッシュメモリ７の所定の領域に当該転送されたＵＲＬを記憶する（ブロックＢ２）。この際に、転送されてきたＵＲＬの種類毎に、記憶領域が異なってもよい。すなわち、転送されてきたＵＲＬがコンテンツ（番組）のＵＲＬ、又は番組サイトのＵＲＬであれば、フラッシュメモリ７内に設けられた番組ＵＲＬ用の記憶領域に当該ＵＲＬを記憶し、ＲＳＳのＵＲＬが転送されてきた場合には、ＲＳＳ用の記憶領域に記憶するようにしてもよい。
【００４５】
次に、ＵＲＬの種類毎に異なる記憶領域に記憶するため、ＵＲＬの転送時に、種類ごとに振り分けて転送するいくつかの方法について説明する。
【００４６】
例えば、図４のブロックＡ５でＵＲＬをポータブルデバイス１に転送する際に、当該ＵＲＬがどのような文法に従っているかに基づいてＣＰＵ５１がＵＲＬの種類を判断してもよい。ＣＰＵ５１が判断結果に応じた記憶領域を指定して、ＵＲＬとともにポータブルデバイス１に転送すると、ＵＲＬの種類に応じた記憶領域に当該ＵＲＬが記憶される。
【００４７】
また、ドロップされたＵＲＬが示すコンテンツ（番組）や番組サイト等に実際にアクセスして、そのコンテンツやサイト等が配布するキーワードを読み込むようにしてもよい。ＣＰＵ５１は、読み込んだキーワードに基づいてＵＲＬの種類を判断する。この判断結果に応じた記憶領域が指定され、ＵＲＬとともにポータブルデバイス１に転送される。従って、フラッシュメモリ７では、ＵＲＬの種類に応じた記憶領域に当該ＵＲＬが記憶される。例えば、読み込んだキーワードに「ＲＳＳ」というキーワードが含まれている場合にはＲＳＳ用の記憶領域に、「ポッドキャスト」というキーワードがあれば「ポッドキャスト」用の記憶領域に記憶することができる。
【００４８】
あるいは、ＵＲＬの種類毎に異なる記憶領域に記憶するため、図４のＵＲＬ転送処理においてＵＲＬ転送ウィンドウを表示する際に（ブロックＡ２又はブロックＡ３）、ＵＲＬの種類毎に異なるウィンドウを用意して表示してもよい。各ウィンドウは、表示色、デザイン、又は表示される文言を変えることにより、互いに区別が可能となるようにする。
【００４９】
図６は、番組、又は番組サイトのＵＲＬをドロップするための番組ＵＲＬ転送ウィンドウ１０４ａと、ＲＳＳフィードのＵＲＬをドロップするためのフィードＵＲＬ転送ウィンドウ１０４ｂとが用意された場合の、表示装置６２の表示例を示す。図６（ａ）及び図６（ｂ）に示すように、番組ＵＲＬ転送ウィンドウ１０４ａとフィードＵＲＬ転送ウィンドウ１０４ｂとが一体に表示されてもよいが、図６（ｃ）及び図６（ｄ）に示すように、番組ＵＲＬ転送ウィンドウ１０４ａとフィードＵＲＬ転送ウィンドウ１０４ｂとが別個に表示されてもよい。
【００５０】
また、図６（ａ）及び図６（ｃ）に示すように、番組ＵＲＬ転送ウィンドウ１０４ａとフィードＵＲＬ転送ウィンドウ１０４ｂとが縦に並んで表示されてもよく、あるいは図６（ｂ）及び図６（ｄ）に示すように、番組ＵＲＬ転送ウィンドウ１０４ａとフィードＵＲＬ転送ウィンドウ１０４ｂとが横に並んで表示されてもよい。
【００５１】
番組ＵＲＬ転送ウィンドウ１０４ａとフィードＵＲＬ転送ウィンドウ１０４ｂとでは、互いに表示色やデザインを変えて、ユーザに区別できるように表示する。ユーザは、番組のＵＲＬをポータブルデバイス１に転送する場合には、番組ＵＲＬ転送ウィンドウ１０４ａに、ＵＲＬをドロップし、ＲＳＳフィードのＵＲＬを転送する場合には、フィードＵＲＬ転送ウィンドウ１０４ｂに、当該ＲＳＳフィードのＵＲＬをドロップすればよい。
【００５２】
このように、複数のＵＲＬ転送ウィンドウが表示されている場合には、ＣＰＵ５１は、どのＵＲＬ転送ウィンドウ上でＵＲＬがドロップされたかに応じて、ＵＲＬの種類を判断する。従って、番組ＵＲＬ転送ウィンドウ１０４ａ上でＵＲＬがドロップされた場合、当該ＵＲＬはポータブルデバイス１に転送され（図４のブロックＡ５）、ポータブルデバイス１の有するフラッシュメモリ７の番組用の記憶領域に記憶される（図５のブロックＢ２）。また、フィードＵＲＬ転送ウィンドウ１０４ｂ上でＵＲＬがドロップされた場合、当該ＵＲＬはポータブルデバイス１に転送され（図４のブロックＡ５）、フラッシュメモリ７のＲＳＳフィード用の記憶領域に記憶される（図５のブロックＢ２）。
【００５３】
なお、図６の（ａ）〜（ｄ）のどの表示例を用いるかは、ユーザがキー入力部６４やマウス６６を操作して設定できるようにしてもよい。また、ユーザによる設定情報を記憶装置５４（又はＲＯＭ５２）に記憶しておくこともできる。図４に示すＵＲＬ転送処理が次回起動される際に、当該設定情報を読み出し、この設定情報に応じて各ウィンドウを表示するようにしてもよい。
【００５４】
複数のＵＲＬ転送ウィンドウは、色やデザインの相違だけではなく、文字情報の表示によって区別できるようにすることもできる。図７は、番組ＵＲＬ転送ウィンドウ１０４ａと、フィードＵＲＬ転送ウィンドウ１０４ｂの他の表示例を示す。図７の（ａ）〜（ｄ）に示す表示例は、図６の（ａ）〜（ｄ）の各表示例におけるそれぞれのウィンドウ上に、対応するＵＲＬの種類を示す文字情報が表示されたものである。すなわち、番組ＵＲＬ転送ウィンドウ１０４ａ上には、番組ＵＲＬをドロップするためのウィンドウであることを示すために「番組」の文字情報が、フィードＵＲＬ転送ウィンドウ１０４ｂ上には、ＲＳＳフィードのＵＲＬをドロップするためのウィンドウであることを示すために「フィード」の文字情報が、それぞれ表示されている。このため、どちらのウィンドウにＵＲＬをドラッグアンドドロップすべきかが、ユーザにより認識しやすくなる。ユーザは、ウィンドウ１０４ａ及び１０４ｂ上に表示された文字情報を参照して、ＵＲＬをドロップするウィンドウを決定することができる。
【００５５】
ユーザは、番組ＵＲＬをポータブルデバイス１に転送する場合には、番組ＵＲＬ転送ウィンドウ１０４ａに番組ＵＲＬをドロップし、ＲＳＳフィードのＵＲＬを転送する場合には、フィードＵＲＬ転送ウィンドウ１０４ｂに当該ＲＳＳフィードのＵＲＬをドロップする。
【００５６】
また、図７（ａ）〜（ｄ）のどの表示例を用いるかは、ユーザがキー入力部６４やマウス６６を操作して設定できるようにしてもよい。
【００５７】
なお、図６の場合と同様に、番組ＵＲＬ転送ウィンドウ１０４ａとフィードＵＲＬ転送ウィンドウ１０４ｂとは、互いに表示色を変えてもよい。また、図７の例では、ＵＲＬ転送ウィンドウ上に文字情報が表示されたが、文字情報に限らず、各ウィンドウを区別できる画像等が表示されてもよい。
【００５８】
以上の図６及び図７の例では、番組ＵＲＬ転送ウィンドウ１０４ａと、フィードＵＲＬ転送ウィンドウ１０４ｂの２つのウィンドウが表示される例を示したが、他の種類のＵＲＬに対しても、ドロップ用のウィンドウを用意することが可能である。また、どの種類のＵＲＬに対応するウィンドウを表示するかを、ユーザが予め設定しておいてもよい。
【００５９】
図８は、ＵＲＬ転送ウィンドウ上に、対応するＵＲＬの種類をポップアップ表示する場合の表示装置６２の表示例を示す。図８の（ａ）〜（ｄ）で、矢印はマウス６６によって操作されるマウスポインタを示す。図８は、マウスポインタの位置に応じて、ウィンドウに対応するＵＲＬの種類がポップアップ表示される場合の表示例を示している。
【００６０】
番組ＵＲＬ転送ウィンドウ１０４ａ上にマウスポインタが位置している場合は、図８（ａ）及び図８（ｄ）に示すように、ポップアップウィンドウＰ１が表示される。ポップアップウィンドウＰ１には、ウィンドウ１０４ａ上にＵＲＬをドロップすると、番組ＵＲＬとしてポータブルデバイス１に転送されることを示すメッセージが表示される。
【００６１】
一方、フィードＵＲＬ転送ウィンドウ１０４ｂ上にマウスポインタが位置している場合は、図８（ｂ）及び図８（ｃ）に示すように、ポップアップウィンドウＰ２が表示される。ポップアップウィンドウＰ２には、ウィンドウ１０４ｂ上にＵＲＬをドロップすると、ＲＳＳフィードのＵＲＬとしてポータブルデバイス１に転送されることを示すメッセージが表示される。
【００６２】
このため、どちらのウィンドウにＵＲＬをドラッグアンドドロップすべきかが、ユーザに認識させやすい。ユーザは、マウスポインタの位置に応じたポップアップウィンドウの表示を参照して、ＵＲＬをドロップするウィンドウを決定することができる。
【００６３】
番組ＵＲＬ転送ウィンドウ１０４ａ上でＵＲＬがドロップされた場合、当該ＵＲＬはポータブルデバイス１に転送され（図４のブロックＡ５）、ポータブルデバイス１の有するフラッシュメモリ７の番組用の記憶領域に記憶される（図５のブロックＢ２）。また、フィードＵＲＬ転送ウィンドウ１０４ｂ上でＵＲＬがドロップされた場合、当該ＵＲＬはポータブルデバイス１に転送され（図４のブロックＡ５）、フラッシュメモリ７のＲＳＳフィード用の記憶領域に記憶される（図５のブロックＢ２）。
【００６４】
図９は、ＵＲＬ転送ウィンドウ上に、対応するＵＲＬの種類をポップアップ表示する場合の別の表示例を示す。図９に示すようなポップアップ表示は、図４のフローチャートに示すＵＲＬ転送処理において、ポータブルデバイス１がＰＣ２に接続されて（ブロックＡ１でＹｅｓ）、ＵＲＬ転送用のウィンドウをアクティブなウィンドウとして表示する際になされる（ブロックＡ３）。
【００６５】
図９の（ａ）〜（ｄ）に示す表示例では、図６の（ａ）〜（ｄ）の各表示例におけるそれぞれのウィンドウ上に、対応するポップアップウィンドウが表示されている。図９の（ａ）〜（ｄ）に示すように、番組ＵＲＬ転送ウィンドウ１０４ａに対応してポップアップウィンドウＰ１が表示される。ポップアップウィンドウＰ１には、ウィンドウ１０４ａ上にＵＲＬをドロップすると、番組ＵＲＬとしてポータブルデバイス１に転送されることを示すメッセージが表示される。
【００６６】
一方、フィードＵＲＬ転送ウィンドウ１０４ｂ上に対応して、ポップアップウィンドウＰ２が表示される。ポップアップウィンドウＰ２には、ウィンドウ１０４ｂ上にＵＲＬをドロップすると、ＲＳＳフィードのＵＲＬとしてポータブルデバイス１に転送されることを示すメッセージが表示される。
【００６７】
このため、どちらのウィンドウにＵＲＬをドラッグアンドドロップすべきかが、ユーザに認識しやすい。ユーザは、マウスポインタの位置に応じたポップアップウィンドウの表示を参照して、ＵＲＬをドロップするウィンドウを決定することができる。
【００６８】
番組ＵＲＬ転送ウィンドウ１０４ａ上でＵＲＬがドロップされた場合、当該ＵＲＬはポータブルデバイス１に転送され（図４のブロックＡ５）、ポータブルデバイス１の有するフラッシュメモリ７の番組用の記憶領域に記憶される（図５のブロックＢ２）。また、フィードＵＲＬ転送ウィンドウ１０４ｂ上でＵＲＬがドロップされた場合、当該ＵＲＬはポータブルデバイス１に転送され（図４のブロックＡ５）、フラッシュメモリ７のＲＳＳフィード用の記憶領域に記憶される（図５のブロックＢ２）。
【００６９】
この、図９のような表示は、ポータブルデバイス１が接続された直後に限らず、ＵＲＬ転送ウィンドウがアクティブになった場合は常に行われるようにしてもよい。
【００７０】
以上説明したように、本実施形態のＵＲＬ転送処理によれば、ＵＲＬ転送ウィンドウ上にＵＲＬをドラッグアンドドロップするだけで、ＰＣ２からポータブルデバイス１へ番組ＵＲＬやＲＳＳフィードのＵＲＬを転送することができる。また、ＰＣ２にポータブルデバイス１が接続されているか否かは、ＵＲＬ転送ウィンドウの表示によってユーザに示すことができる。ＵＲＬ転送ウィンドウは、ＵＲＬの種類に応じて複数設けることができ、ウィンドウ毎に色やデザイン、表示する文字情報を変更することにより、ユーザはどのウィンドウにＵＲＬをドロップすべきかを認識できるようになる。さらに、対応するＵＲＬの種類を示すメッセージをポップアップ表示することにより、ユーザがどのウィンドウにＵＲＬをドロップするかを判断しやすくすることもできる。
【００７１】
また、ポータブルデバイス１では、転送されてきたＵＲＬの種類に応じて、ＵＲＬを記憶する記憶領域を異ならせることができる。このため、ユーザはポータブルデバイス１の記憶領域を自分で整理する必要がなく、転送されてきたＵＲＬを簡単に利用することができる。
【００７２】
例えばユーザは、外出先等でＰＣ２が無い場合であっても、記憶したＵＲＬを読み出して、公衆無線ＬＡＮ等を介して当該ＵＲＬが示す番組に接続したり、ＲＳＳフィードを取得したりすることができる。すなわち、ユーザ自らＵＲＬを入力せずとも、またＰＣ２が無くとも、情報の更新が可能となる。従って、ＲＳＳによって毎日更新されるニュースのポータルサイト等を利用する場合に有効である。
【００７３】
なお、上述の説明では、ポータブルデバイス１とＰＣ２とは、ＵＳＢ接続によって接続されていたが、ＵＳＢ接続に限らず無線ＬＡＮ接続されていてもよいし、他の方式によって有線接続されていてもよい。
【００７４】
また、本実施形態では、パーソナルコンピュータ（ＰＣ）２からポータブルデバイス１にＵＲＬの情報が転送されるとしたが、パーソナルコンピュータに限らず、有線又は無線ＬＡＮ、及びＵＳＢ接続によって外部とのデータのやり取りが可能な他の装置からポータブルデバイス１にＵＲＬの情報が転送されてもよい。
【００７５】
また、本実施形態では、マウス６６によって転送するＵＲＬのドラッグアンドドロップを行うものとして説明したが、転送するＵＲＬをコピーして、ＵＲＬ転送ウィンドウに貼り付ける（ペーストする）ことによっても、ＵＲＬの転送を行うことができる。更に、転送するＵＲＬをマウス操作等で選択し、転送指示を行う（例えばＵＲＬ上で右クリックして表示されたメニューリストから、転送指示を選択する等）ことでＵＲＬ転送を行うようにしてもよい。
【００７６】
図４のフローチャートに示すＵＲＬ転送処理は、ＰＣ２が起動している間は、常に起動するようにしてもよい。ＵＲＬ転送ウィンドウ１０４は、表示装置６２の表示画面（デスクトップ）に常に表示される。この場合、ＵＲＬ転送ウィンドウ１０４がデスクトップに常駐しているので、ユーザは他のアプリケーション操作中に転送したいＵＲＬを見出した場合にはいつでも、ＵＲＬの転送を行うことができる。
【００７７】
また、上述の実施形態では、図３のウィンドウ１００がウェブブラウザのウィンドウである場合について説明したが、ウィンドウ１００は、その他のアプリケーション（文書作成ソフトや表計算ソフト等であってもよい）のウィンドウでもよい。ウィンドウ１００に表示されるＵＲＬは、例えばダウンロード用のボタンアイコン等によって示されていてもよく、必ずしもユーザにＵＲＬ自体が明示されていなくてもよい。
【００７８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００７９】
また、本発明は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【００８０】
また、上述の説明は個々の実施例それぞれについて行ったが、複数の実施例を適宜組み合わせてもよい。
【図面の簡単な説明】
【００８１】
【図１】本発明の一実施形態に係るＵＲＬ転送システムを利用する携帯型コンテンツ再生装置（ポータブルデバイス）の電気的構成を示すブロック図。
【図２】本発明の一実施形態に係るＵＲＬ転送システムに用いられるパーソナルコンピュータ（ＰＣ）の電気的構成を示すブロック図。
【図３】本発明の一実施形態に係る、ポータブルデバイスがＰＣに接続された状態を示す図。
【図４】ＰＣにおいて実行されるＵＲＬ転送処理のフローチャート。
【図５】ポータブルデバイスにおいて実行されるＵＲＬ記憶処理のフローチャート。
【図６】番組、又は番組サイトのＵＲＬをドロップするための番組ＵＲＬ転送ウィンドウと、ＲＳＳフィードのＵＲＬをドロップするためのフィードＵＲＬ転送ウィンドウとが用意された場合の、表示装置の表示例を示す図。
【図７】番組ＵＲＬ転送ウィンドウとフィードＵＲＬ転送ウィンドウの他の表示例を示す図。
【図８】ＵＲＬ転送ウィンドウ上に、対応するＵＲＬの種類をポップアップ表示する場合の表示例を示す図。
【図９】ＵＲＬ転送ウィンドウ上に、対応するＵＲＬの種類をポップアップ表示する場合の他の表示例を示す図。
【符号の説明】
【００８２】
１…コンテンツ再生装置、２…パーソナルコンピュータ、３…操作部、５…ＬＣＤ、７…フラッシュメモリ、８…カードスロット、９…バッテリ、１０…ＳＤカード、１１…ＣＰＵ、１３…Ｉ／Ｏポート、１５…ＬＣＤ駆動回路、１７…出力部、１９…電源制御部、２１…ＲＯＭ、２３…ＲＡＭ、２５…バス、３３…充電部、４１…ＵＳＢポート、４３…無線ネットワークユニット、４５…出力端子、４７…オーディオデコーダ、４９…ビデオデコーダ、５１…ＣＰＵ、５２…ＲＯＭ、５３…ＲＡＭ、５４…記憶装置、５５…電源制御部、６１…グラフィックインタフェース、６２…表示装置、６３…キーインタフェース、６４…キー入力部、６５…マウスインタフェース、６６…マウス、７１…ＬＡＮ通信部、７２…無線ＬＡＮ通信部、７３…ＵＳＢインタフェース、８０…バス。
【図１】
2009223530.tif 000003
【図２】
2009223530.tif 000004
【図３】
2009223530.tif 000005
【図４】
2009223530.tif 000006
【図５】
2009223530.tif 000007
【図６】
2009223530.tif 000008
【図７】
2009223530.tif 000009
【図８】
2009223530.tif 000010
【図９】
2009223530.tif 000011